(57)【要約】【課題】光源ランプがある程度まで冷えないうちはランプ交換ができないようにして、ランプ交換を火傷の恐れなく安全に行うことができる内視鏡用光源装置を提供すること。【解決手段】光源ランプ８付近の温度を検出するランプ温度検出手段１４と、ランプ温度検出手段１４により検出された温度が予め設定された所定温度より高いときにランプ交換扉４を閉じた状態にロックするランプ交換扉ロック手段１３，１３ａとが設けられ、警告灯７が付設されている。【選択図】      図１
2006333879.tif 000002
【特許請求の範囲】
【請求項１】
内視鏡に供給するための照明光を放射する光源ランプが内蔵されて、上記光源ランプを交換するために外部から開閉されるランプ交換扉が外壁部に設けられた内視鏡用光源装置において、
上記光源ランプ付近の温度を検出するランプ温度検出手段と、上記ランプ温度検出手段により検出された温度が予め設定された所定温度より高いときに上記ランプ交換扉を閉じた状態にロックするランプ交換扉ロック手段とが設けられていることを特徴とする内視鏡用光源装置。
【請求項２】
上記ランプ温度検出手段が、上記光源ランプが取り付けられている部材又はそれに連続して隣接して設けられている部材の温度を検出する請求項１記載の内視鏡用光源装置。
【請求項３】
上記光源ランプが取り付けられている部材が、放熱用のヒートシンクである請求項１記載の内視鏡用光源装置。
【請求項４】
上記ランプ交換扉ロック手段が、電磁ソレノイドとその電磁ソレノイドによって作動するロック部材である請求項１、２又は３記載の内視鏡用光源装置。
【請求項５】
上記ランプ交換扉ロック手段が、上記光源ランプ付近の熱を関知して熱膨張／収縮により伸縮するロック部材である請求項１、２又は３記載の内視鏡用光源装置。
【請求項６】
上記ランプ温度検出手段により検出された温度が予め設定された所定温度より高いときに点灯する警告灯が付設されている請求項１ないし５のいずれかの項に記載の内視鏡用光源装置。
【発明の詳細な説明】
【技術分野】
【０００１】
この発明は内視鏡用光源装置に関する。
【背景技術】
【０００２】
内視鏡用光源装置には一般に、内視鏡に供給するための照明光を放射する光源ランプが内蔵されていて、その光源ランプを交換するために外部から開閉されるランプ交換扉が外壁部に設けられている（例えば、特許文献１）。
【特許文献１】特開２０００−２４１７１９
【発明の開示】
【発明が解決しようとする課題】
【０００３】
図８は従来の内視鏡用光源装置を示しており、内視鏡検査を行っている最中に光源ランプ９１が切れて点灯しなくなった場合等には、ランプ交換扉９２を開き、光源ランプ９１を保持しているヒートシンク９３から光源ランプ９１を外して交換する。
【０００４】
しかし、それまで点灯状態にあった光源ランプ９１とそれを保持するヒートシンク９３等は高温になっているので、その温度がある程度下がるまでは光源ランプ９１を交換する作業の際に火傷をしてしまう恐れがある。
【０００５】
そこで本発明は、光源ランプがある程度まで冷えないうちはランプ交換ができないようにして、ランプ交換を火傷の恐れなく安全に行うことができる内視鏡用光源装置を提供することを目的とする。
【課題を解決するための手段】
【０００６】
上記の目的を達成するため、本発明の内視鏡用光源装置は、内視鏡に供給するための照明光を放射する光源ランプが内蔵されて、光源ランプを交換するために外部から開閉されるランプ交換扉が外壁部に設けられた内視鏡用光源装置において、光源ランプ付近の温度を検出するランプ温度検出手段と、ランプ温度検出手段により検出された温度が予め設定された所定温度より高いときにランプ交換扉を閉じた状態にロックするランプ交換扉ロック手段とが設けられているものである。
【０００７】
なお、ランプ温度検出手段が、光源ランプが取り付けられている部材又はそれに連続して隣接して設けられている部材の温度を検出するものであってもよく、光源ランプが取り付けられている部材が、放熱用のヒートシンクであってもよい。
【０００８】
そして、ランプ交換扉ロック手段が、電磁ソレノイドとその電磁ソレノイドによって作動するロック部材であってもよく、ランプ交換扉ロック手段が、光源ランプ付近の熱を関知して熱膨張／収縮により伸縮するロック部材であってもよい。
【０００９】
また、ランプ温度検出手段により検出された温度が予め設定された所定温度より高いときに点灯する警告灯が付設されていてもよい。
【発明の効果】
【００１０】
本発明によれば、光源ランプ付近の温度を検出するランプ温度検出手段により検出された温度が予め設定された所定温度より高いときには、ランプ交換扉ロック手段によりランプ交換扉が閉じた状態にロックされることにより、光源ランプがある程度まで冷えないうちはライトガイド交換扉が開かずランプ交換をすることができないので、ランプ交換を火傷の恐れなく安全に行うことができる。
【発明を実施するための最良の形態】
【００１１】
内視鏡に供給するための照明光を放射する光源ランプが内蔵されて、光源ランプを交換するために外部から開閉されるランプ交換扉が外壁部に設けられた内視鏡用光源装置において、光源ランプ付近の温度を検出するランプ温度検出手段と、ランプ温度検出手段により検出された温度が予め設定された所定温度より高いときにランプ交換扉を閉じた状態にロックするランプ交換扉ロック手段とが設けられている。
【実施例】
【００１２】
図面を参照して本発明の実施例を説明する。
図２は内視鏡用光源装置の外観を示しており、フロントパネルには、内視鏡の照明用ライトガイドの入射端が接続されるライトガイドソケット１や電子信号コネクタが接続される信号コネクタ２の他、各種ディスプレイ等が配置されている、３はメインスイッチである。
【００１３】
光源装置の側壁部には、内蔵されている光源ランプを交換する際に開かれるランプ交換扉４が蝶番５を支点に開閉できるように取り付けられている。
６は、ランプ交換扉４を開閉する際に指先で摘んで回転操作される摘みボタン。７は、光源ランプが高温状態にあってランプ交換扉４が開かない状態の時に点灯する赤色の警告灯であり、ランプ交換扉４に隣接して光源装置の側壁部の外面に配置されている。
【００１４】
図１は光源装置の一部を断面で示す平面図であり、ランプ交換扉４の内側位置には、例えばキセノンランプ等からなる光源ランプ８が、前後一対の放熱用のヒートシンク９に保持されて所定位置に配置されている。
【００１５】
ヒートシンク９は多数の冷却フィンが形成された公知のものであり、その奥側に隣接して配置されている台座１０に、ランプ交換扉４側から締め付けボルト１１で固定されている。ヒートシンク９と台座１０は、共に熱伝導性の高い金属材により形成されている。
【００１６】
そのような構成により、ランプ交換扉４を開いて締め付けボルト１１を緩めれば、ヒートシンク９を光源ランプ８と共にランプ交換扉４から外に取り出すことができる。なお、このような構成は公知のものなので、平面図以外の図示は省略する。１２は、光源ランプ８を冷やす冷却風を通過させるための風洞である。
【００１７】
光源装置の側壁の内面部分には、ロッド１３を軸線方向に進退駆動するための電磁ソレノイド１３ａが固定的に取り付けられていて、そのロッド１３が係脱する係合部４ａがランプ交換扉４の端部を折り曲げて形成されている。
【００１８】
その結果、図３に示されるように、ロッド１３が電磁ソレノイド１３ａ側に退避して係合部４ａと係合しない状態ではランプ交換扉４を自由に開閉することができるが、図４に示されるように、ロッド１３が電磁ソレノイド１３ａから突出して係合部４ａと係合した状態では、ランプ交換扉４が閉じた状態にロックされて外方から開くことができない。なお、電磁ソレノイド１３ａは、通電されていない待機状態ではロッド１３が退避状態になるタイプである。
【００１９】
図１に戻って、ヒートシンク９に連設して設けられている台座１０には、その温度を検出するための温度センサー１４が取り付けられており、温度センサー１４から出力される温度検出信号は制御部１５に入力される。
【００２０】
なお、温度センサー１４はヒートシンク９に取り付けられていてもよく、或いは光源ランプ８の温度を直接検出する状態に設けられていてもよい。光源ランプ８の温度を直接検出すれば最も正確な温度検出を行えるが、ヒートシンク９又はそれに連設された台座１０等の温度も光源ランプ８の温度変化に伴って変化するので、手で触れた場合の火傷防止のための温度検出は台座１０の温度Ｔ等でも実用上問題がない。
【００２１】
制御部１５は、例えばマイクロプロセッサ等を内蔵するデジタル方式のものであり、制御部１５から出力される制御信号が警告灯７と温度センサー１４の各駆動回路に出力されて警告灯７と温度センサー１４の動作が制御される。なお、制御部１５は比較回路等を内蔵したアナログ回路を用いたものであっても差し支えない。
【００２２】
図５は、制御部１５において行われる制御の内容を示すフロー図であり、Ｓは制御ステップを示している。この処理はメインスイッチ３の投入により開始され、先ず温度センサー１４において温度Ｔを検出し（Ｓ１）、その温度Ｔを予め設定された基準温度Ｔｏと比較する（Ｓ２）。この基準温度Ｔｏは、人の手が触れても火傷をしないレベルに設定されている。
【００２３】
そして、温度センサー１４による検出温度Ｔが基準温度Ｔｏを越えているときは、ロッド１３が係合部４ａと係合する状態に電磁ソレノイド１３ａを駆動してランプ交換扉４をロック状態にすると共に警告灯７を点灯させて（Ｓ３、Ｓ４）、Ｓ１の温度検出から繰り返す。
【００２４】
Ｓ２において、温度センサー１４による検出温度Ｔが基準温度Ｔｏ以下のときは、ロッド１３が係合部４ａと係合しない退避状態になるように電磁ソレノイド１３ａの駆動を解除すると共に警告灯７を消灯させて（Ｓ５、Ｓ６）、Ｓ１の温度検出から繰り返す。
【００２５】
そのような処理の結果、温度センサー１４で検出される温度Ｔが基準温度Ｔｏより高いときにはランプ交換扉４を開けることができず、温度Ｔが基準温度Ｔｏ以下になってからランプ交換扉４を開けることができるようになるので、ランプ交換を火傷の恐れなく安全に行うことができる。
【００２６】
図６及び図７は本発明の第２の実施例を示しており、熱膨張率の大きな金属（例えば、形状記憶合金等）により形成された伸縮ロッド１８をヒートシンク９に固定的に接触させて配置し、その伸縮ロッド１８がヒートシンク９の温度変化に伴って熱膨張／収縮して伸縮することによりランプ交換扉４の係合部４ａと係脱するようにしたものである。
【００２７】
この実施例においては、ヒートシンク９の温度が基準温度Ｔｏ以下の時は図６に示されるように伸縮ロッド１８が係合部４ａと係合せず、ヒートシンク９の温度が基準温度Ｔｏを越えると図７に示されるように伸縮ロッド１８が係合部４ａと係合するようにセットされている。
【００２８】
したがって、ヒートシンク９の温度が基準温度Ｔｏより高いときにはランプ交換扉４を開けることができず、基準温度Ｔｏ以下になってからランプ交換扉４を開けることができるようになるので、ランプ交換を火傷の恐れなく安全に行うことができ、しかも、構造が簡単であると共に、メインスイッチ３のオン／オフの状態の如何にかかわらずロック状態が得られる利点がある。
【図面の簡単な説明】
【００２９】
【図１】本発明の第１の実施例の内視鏡用光源装置の一部を断面で示す平面図である。
【図２】本発明の第１の実施例の内視鏡用光源装置の外観斜視図である。
【図３】本発明の第１の実施例の内視鏡用光源装置のランプ交換扉がロックされていない状態の部分斜視図である。
【図４】本発明の第１の実施例の内視鏡用光源装置のランプ交換扉がロックされた状態の部分斜視図である。
【図５】本発明の第１の実施例の内視鏡用光源装置の制御部において行われる制御内容を示すフロー図である。
【図６】本発明の第２の実施例の内視鏡用光源装置のランプ交換扉がロックされていない状態の一部を断面で示す平面図である。
【図７】本発明の第２の実施例の内視鏡用光源装置のランプ交換扉がロックされた状態の一部を断面で示す平面図である。
【図８】従来の内視鏡用光源装置の一部を断面で示す平面図である。
【符号の説明】
【００３０】
４  ランプ交換扉
４ａ  係合部
７  警告灯
８  光源ランプ
９  ヒートシンク
１０  台座
１３  ロッド（ランプ交換扉ロック手段）
１３ａ  電磁ソレノイド（ランプ交換扉ロック手段）
１４  温度センサー（ランプ温度検出手段）
１５  制御部
１８  伸縮ロッド（ランプ温度検出手段、ランプ交換扉ロック手段）
【図１】
2006333879.tif 000003
【図２】
2006333879.tif 000004
【図３】
2006333879.tif 000005
【図４】
2006333879.tif 000006
【図５】
2006333879.tif 000007
【図６】
2006333879.tif 000008
【図７】
2006333879.tif 000009
【図８】
2006333879.tif 000010